(57)【要約】【課題】安全性が高く、取り扱い容易な運動補助具を提供する。【解決手段】中空に形成され全体として弾性を有する正面視楕円形のラグビーボール形状のボール体１０からなる運動補助具１であって、ボール体１０の長軸Ｌ１方向の長さが６５〜９５センチメートル、短軸Ｌ２方向の長さが３５〜５５センチメートルに形成されている。【選択図】図１
2013141557.tif 000002
【特許請求の範囲】
【請求項１】
中空に形成され全体として弾性を有する正面視楕円形のラグビーボール形状のボール体からなる運動補助具であって、
前記ボール体の長軸方向の長さが６５〜９５センチメートル、短軸方向の長さが３５〜５５センチメートルに形成されていることを特徴とする運動補助具。
【請求項２】
前記ボール体の表面には、長軸側の一方の端部から所定距離だけボール体の中心側となる位置までの部分、及び長軸側の他方の端部から前記所定距離と同等の距離だけボール体の中心側となる位置までの部分と、それ以外の部分とを区別するための所定の範囲表示が、ボール体の外周にわたって設けられ、
前記範囲表示により特定される範囲の長軸方向の長さは、ボール体の長軸方向の長さの６０〜８０％の長さに設定されていることを特徴とする請求項１記載の運動補助具。
【発明の詳細な説明】
【技術分野】
【０００１】
本発明は、弾性部材から成る運動補助具に関する。
【背景技術】
【０００２】
従来、バランス運動により健康増進を図る運動補助具としては、種々の物が考案されている。例えば、空気を充填した塩化ビニールの大型ボールの上で種々の体勢でバランスをとるバランスボールがよく知られているが、球体は転がりやすいので扱いが難しく、危険を伴う場合がある。これに対処すべく、特許文献１に示すように、ボールが転がらないようにするためのドーナツ状の滑り止めが考案されている。
【先行技術文献】
【特許文献】
【０００３】
【特許文献１】登録実用新案第３１０５９２３号公報
【発明の概要】
【発明が解決しようとする課題】
【０００４】
しかし、上記したように、本体とは別に安全部材を設けるようにすると、製造コストや商品価格の高騰、取り扱いが煩雑になるなどの点において好ましくない。
そこで本願発明は、単体でも安全性が高く、取り扱い容易な運動補助具を提供することを目的とする。
【課題を解決するための手段】
【０００５】
上記課題を解決するため、本発明は、以下のような構成を備えている。
すなわち、請求項１に記載の発明は、中空に形成され全体として弾性を有する正面視楕円形のラグビーボール形状のボール体(10)からなる運動補助具(1)であって、前記ボール体(10)の長軸方向の長さ(W)が６５〜９５センチメートル、短軸方向の長さ(H)が３５〜５５センチメートルに形成されている。
本発明に係る運動補助具(1)は、中空の弾性部材の内部に空気などを充填して形成されている。本発明においては、ボール体(10)がラグビーボール形状となっているため、ボール体(10)の転がる方向が、長軸(L1)を回転中心とする一方向となり、初心者でも扱いやすく、安全性に優れている。その一方、回転方向と直交する方向にもある程度揺動可能であるため、不安定下でのトレーニングにも適している。
【０００６】
上記に加え、請求項２に記載の発明は、前記ボール体(10)の表面には、長軸側の一方の端部から所定距離だけボール体(10)の中心側となる位置までの部分、及び長軸側の他方の端部から前記所定距離と同等の距離だけボール体(10)の中心側となる位置までの部分と、それ以外の部分とを区別するための所定の範囲表示（安全範囲表示ライン13）が、ボール体(10)の外周にわたって設けられ、前記範囲表示により特定される範囲の長軸方向の長さ(w)は、ボール体(10)の長軸方向の長さの６０〜８０％の長さに設定されていることを特徴とする。
前記範囲表示は、当該範囲表示により特定される所定の範囲が、上に乗っても安全な範囲であることを明示するための安全範囲表示とすることができ、逆に、当該範囲表示により特定される範囲以外（つまりラグビーボール形状のボール体(10)の長軸方向の両端部）が、安全な姿勢で上に乗ることが難しい危険範囲であることを明示するための危険範囲表示とすることもできる。
【０００７】
範囲表示は、ボール体(10)の表面に表示された仕切り線によって、所定の範囲を特定するものや、ボール体(10)の表面に色彩を施し若しくは表面加工を施すことにより、所定の範囲を特定するものとすることができる。
請求項２記載の発明によれば、ボール体(10)で安全にトレーニングすることが可能な範囲を一見して認識でき、利用者の注意を喚起してより安全性を高めることができる。
【発明の効果】
【０００８】
本発明は、以上のように構成されているので、安全性が高く、取り扱い容易な運動補助具を提供することができる。
【図面の簡単な説明】
【０００９】
【図１】本発明の実施の形態であって、運動補助具の（Ａ）正面図及び（Ｂ）側面図である。
【図２】本発明の実施の形態の変形例であって、運動補助具の斜視図である。
【発明を実施するための形態】
【００１０】
本発明の実施の形態を図面を参照しつつ以下に説明する。
運動補助具１は、内部に空気を充填したボール体10からなる。ボール体10は、ＰＶＣなどの弾性部材により形成され、図１（Ａ）（Ｂ）に示すように、正面視すると楕円形、側面視すると円形の、ラグビーボール形状を呈している。すなわち、楕円を長軸中心に回転させてできる形状となっている。ボール体10の長軸L1方向の長さＷは、６５〜９５センチメートルに形成されている。また、短軸L2方向の長さＨは、３５〜５５センチメートルに形成されている。ボール体10には、図示しない空気注入口が設けられており、空気注入口を塞ぐキャップを外して内部の空気を抜き、折り畳むこともできる。
【００１１】
また、ボール体10の表面には、長軸L1側の一方（図１（Ａ）における左側）の端部から所定距離だけボール体10の中心側となる位置までの長軸側端部11と、長軸L1側の他方（図１（Ａ）における右側）の端部から前記所定距離と同等の距離だけボール体10の中心側となる位置までの長軸側端部12と、それ以外の部分（ボール体10の中央部分）とを区別するための安全範囲表示ライン13が、ボール体の外周にわたって設けられている。安全範囲表示ライン13は、図１（Ｂ）に示すように、ボール体10を側面視すると長軸L1を中心とする円形状を成しており、ボール体10を長軸方向が横方向となるよう床面に設置（横向きに設置。図１（Ａ）参照）したとき、２本の安全範囲表示ライン13の間の範囲であれば安全な姿勢で上に乗る（転がり落ちない）ことが可能なことを示す安全範囲表示である。そして、２本の安全範囲表示ライン13により区画されるボール体10の中央部分が、安全範囲14となる。換言すれば、長軸側端部11,12は、安全な姿勢で上に乗ることが難しい危険範囲ということになる。なお、安全範囲表示ライン13は、ボール体10の表面に印刷により又はシールなどを貼付して形成することができる。
【００１２】
ここで、２本の安全範囲表示ライン13の間の寸法、すなわち安全範囲14の長軸方向の長さｗは、ボール体10の長軸方向の長さＷの６０〜８０％の長さとするのが好ましい。
上記構成を有する運動補助具１を使用する際には、まず、ボール体10の内圧が好適な圧力となるよう空気を注入し、上に乗ったり、両手で押しつぶしたりして、様々なトレーニングを行うことができる。
例えば、ボール体10を横向きにして床に設置し、ボール体10の上面中央付近に、体の向きが長軸L1と直交する方向となるよう仰向けになり、背中をボール体10の表面に沿わせてストレッチを行ったり、背中を床に付け腰をボール体10の上に載せた状態で伸ばした両足を交互に上げ下ろしする運動を行うことができる。また、体の向きを長軸L1と直交する方向にしてうつぶせになり、ボール体10の上面中央付近に下肢を乗せ両手を床についた状態で腕立て伏せ運動を行ったり、両手を床につき体を伸ばした状態で前後に移動する運動を行うことができる。あるいは、横向きで床に設置したボール体10に、短軸部分を両脚の間に挟むように跨って座り、バランスをとる運動を行うことができる。
【００１３】
上記したような動作を行う際、ボール体10は長軸L1を中心として回転はするものの、長軸L1が揺動する方向には回転しないので、ボール体10の上に乗っている体全体や体の部分が意図せずボール体10から転がり落ちることはない。その一方で、単なる円柱状の物体に乗っている場合と異なり、ラグビーボール形状のボール体10はある程度、長軸L1が揺動する方向にも動くので、アンバランス性が生まれて、トレーニング効果を高めることができる。そして、上に乗る際には、安全範囲表示ライン13を目安に、ボール体10の端には極力乗らないようにすることにより、安全にトレーニングを行うことができる。
運動補助具１は、上記の他にも、ボール体10を長軸方向が縦方向となるよう（縦向きにして）両手で持って両側から手で押したり、縦向きにしたボール体10を床面に設置して上側から手で押したりなど、種々のトレーニングに用いることができるものである。
【００１４】
（総括）
本実施の形態に係る運動補助具１は、全体形状がラグビーボール型に形成されているため、転がり方向が長軸L1を回転中心とする一方向となるため、球形状のボールに比べて扱い易く、危険も少ない。また、単なる筒状体と異なり、ボール体10は転がり方向と直交する方向にもある程度揺動可能であることから、不安定下でのトレーニング（スタビリティトレーニング）に効果的である。さらに、上に乗っても安全にトレーニング可能な範囲を、安全範囲表示ライン13によって明示したので、利用者の注意を喚起してより安全性を高めることができる。
【００１５】
なお、上記した実施の形態では、安全範囲14を２本の安全範囲表示ライン13によって区画していたが、図２に示すように、安全範囲14を面によって表示してもよい。例えば、安全範囲14の色彩を異ならせたり、表面加工を異ならせる（例えば梨地にしたり突条を設けたりする）ようにしてもよい。
本発明には、安全範囲表示が設けられていないものも含まれる。
【符号の説明】
【００１６】
１  健康補助具                    10  ボール体
11  長軸側端部                    12  長軸側端部
13  安全範囲表示ライン            14  安全範囲
L1  長軸                          L2  短軸
【図１】
2013141557.tif 000003
【図２】
2013141557.tif 000004